(57)【要約】【課題】扇面に柄を有した柄付きうちわであっても、扇面及び柄部分を折畳んでコンパクトにできる一方、折畳み式であっても使用時に扇面が不安定にならないようにする。【解決手段】柄付きうちわにおいて、扇面１の下縁寄りの所定位置を折り線集中点３とし、該折り線集中点３から所定角度間隔をもって合計６本の折り線３１〜３６をそれぞれ扇面外周縁に達する長さ範囲に形成して、各折り線で区画された６つの分割面１１〜１６を相互に重合状態で折畳み得るようにしている一方、扇面１における下部中央分割面１２の表裏各面に、扇面接合側に折返した状態で折り線集中点３の周囲を被覆し得る面積を有する挟持板４，５をそれぞれ設けているとともに、各挟持板４，５を展張状態の扇面１の表裏各面に接合させた状態で、両挟持板４，５を離間不能にロックするためのロック手段６を有していることにより、上記課題を解決し得るようにしている。【選択図】  図１
2010184052.tif 000002
【特許請求の範囲】
【請求項１】
１枚物の薄板状で所定面積を有した扇面（１）の下縁中央部（１ａ）に持手となる柄（２）を下方突出状態で連続させた柄付きうちわであっで、
前記扇面（１）の幅中央線（Ｎ）上における扇面（１）の下縁（１ａ）寄りの所定位置を折り線集中点（３）とし、
前記扇面幅中央線（Ｎ）を挟んだ左右対称位置に前記折り線集中点（３）から所定角度間隔をもって３本ずつの折り線（３１〜３６）をそれぞれ扇面（１）の外周縁に達する長さ範囲に形成して、合計６本の折り線（３１〜３６）で区画された６つの分割面（１１〜１６）を相互に重合状態で折畳み得るようにしている一方、
前記扇面（１）における柄基端部（２ａ）に連続する下部中央分割面（１２）の表裏各面に、それぞれ扇面（１）に接合する位置と柄（２）に接合する位置との範囲で折返し自在であって扇面接合側に折返した状態では前記折り線集中点（３）の周囲を被覆し得る面積を有する挟持板（４，５）をそれぞれ設けているとともに、
該各挟持板（４，５）を展張状態の扇面（１）の表裏各面に接合させた状態で、該両挟持板（４，５）を離間不能にロックするためのロック手段（６）を有している、
ことを特徴とする折畳み式柄付きうちわ。
【請求項２】
請求項１において、
柄（２）の長さを扇面（１）の上下長さより短い長さとする一方、
折り線集中点（３）を、扇面（１）の上縁中央部（１ｂ）と柄（２）の先端部（２ｂ）との間の長さ（Ｌ）の略１／２の位置に設定している、
ことを特徴とする折畳み式柄付きうちわ。
【発明の詳細な説明】
【技術分野】
【０００１】
本願発明は、所定面積を有した扇面の下縁中央部に所定長さの柄（持手）を下方突出状態で連続させてなる柄付きうちわに関し、さらに詳しくは、不使用時には小さく折畳んで携帯できるようにした折畳み式柄付きうちわに関するものである。
【背景技術】
【０００２】
柄（持手）付きのうちわとしては、大小各サイズのものがあるが、扇面で十分な風量を送るためには該扇面の面積をかなりの大きさ（例えば縦横の各直径が２０〜２５cm程度）にする必要がある。又、扇面に柄（例えば長さが１０〜１５cm程度）を付けたものでは、うちわの全体長さが３０cm超となって、携帯に不便である。
【０００３】
ところで、公知の折畳み式うちわとして、例えば図８〜図１０に示すものが知られている。尚、この図８〜図１０の折畳み式うちわは、実開平６−６１１２２号公報（特許文献１）に示されるものである。
【０００４】
この公知の折畳み式うちわは、図８に示すように使用面積（図９）より大きい面積を有した展開厚紙１０１を６本の折り線１３１〜１３６で区画した６つの分割面１１１〜１１６を有している。符号１０２〜１０４は、指掛け用の穴または窪みである。尚、この公知の折畳み式うちわには、持手となる柄は使用されていない。
【０００５】
この公知の折畳み式うちわは、図８に示す展開状態から、外側の２つの折り線１３１，１３２を山折りして、両外側の各分割面１１３，１１４をそれぞれ内側の左右各分割面１１１，１１２に重合・貼着すると、図９に示すようにうちわとして使用可能になる。この図９の状態では、左右両端部の分割面がそれぞれ２枚重ね状態となっているので、強度が増している。そして、この折畳み式うちわは、図９の状態で扇面の基部側（指掛け穴１０２側）を持って扇ぐ（風を送る）ことができる。
【０００６】
又、図９に示す使用可能状態から、折り線１３６を山折りするとともに他の３つの折り線１１３，１３４，１３５をそれぞれ谷折りすると、図１０に示すように扇面を幅方向に小さく折畳むことができる。この折畳み状態では、幅方向にコンパクトになっているので携帯に便利となる。
【先行技術文献】
【特許文献】
【０００７】
【特許文献１】実開平６−６１１２２号公報
【発明の概要】
【発明が解決しようとする課題】
【０００８】
ところで、上記公知例の折畳み式うちわでは、図９に示す使用状態において、持手となる柄がないので持ちにくいという問題がある。又、図９の使用状態では、中央付近に４つの折り線１３３，１３４，１３５，１３６（折り癖がついている）があるので、扇面の形状が不安定になる。即ち、扇面の基部側を持って扇ぐときに各折り線１３３，１３４，１３５，１３６部分で折れ曲がり易くなって、使用しにくいという問題がある。
【０００９】
尚、従来から、この種の折畳み式うちわの関連商品として扇子があるが、扇子の場合は、多数の細幅分割面を順次ジグザグに折畳んでコンパクトにできるようになっているが、この場合も持手となる柄がないので、使用時に持ちにくいという問題があるほか、部品数が多くなって構成が複雑であるとともに、うちわに比較すると高価である。
【００１０】
そこで、本願発明は、柄付きのうちわであっても、扇面の所定位置に複数の折り線を形成して左右及び上下に折畳むことができるようにするとともに、使用時に（展張状態で）扇面の形状を安定させ得る（各折り線部分で折れ曲がりにくくする）ようにした折畳み式柄付きうちわを提供することを目的としている。
【課題を解決するための手段】
【００１１】
本願発明は、上記課題を解決するための手段として次の構成を有している。
【００１２】
［本願請求項１の発明］
本願請求項１の発明は、１枚物で薄板状で所定面積を有した扇面の下縁中央部に持手となる柄を下方突出状態で連続させた折畳み式柄付きうちわを対象としている。
【００１３】
そして、本願請求項１の折畳み式柄付きうちわでは、扇面の幅中央線上における扇面の下縁寄りの所定位置を折り線集中点とし、扇面幅中央線を挟んだ左右対称位置に折り線集中点から所定角度間隔をもって３本ずつの折り線をそれぞれ扇面の外周縁に達する長さ範囲に形成して、合計６本の折り線で区画された６つの分割面を相互に重合状態で折畳み得るようにしている。
【００１４】
この折畳み式柄付きうちわでは、扇面下縁中央部にある下部中央分割面を、折り線集中点を中心にして扇面上部側に折畳むことができるが、そのとき下部中央分割面に連続している柄も扇面上部側に折返すことができる。
【００１５】
このようにすると、各折り線（６本）により扇面幅中央線を中心にして扇面を幅方向に小さく折畳めるとともに、柄側も折り線集中点を中心にして扇面側に折り重ねることができるので、全体を非常に小さく折畳むことができる。尚、隣接する各折り線（６本）間のそれぞれの角度間隔は、扇面を幅方向に小さく折畳めるとともに、柄側も扇面側に折り重ね得るように設定されているが、具体的には以下に示す実施例のようにそれぞれ所定角度範囲内で変更可能に設定できるものである。
【００１６】
又、本願請求項１の折畳み式柄付きうちわでは、扇面における柄基端部に連続する下部中央分割面の表裏各面に、それぞれ扇面に接合する位置と柄に接合する位置との範囲で折返し自在であって扇面接合側に折返した状態では折り線集中点の周囲を被覆し得る面積を有する挟持板をそれぞれ設けているとともに、各挟持板を展張状態の扇面の表裏各面に接合させた状態で両挟持板を離間不能にロックするためのロック手段を有している。
【００１７】
この各挟持板及びロック手段は、扇面に６本の折り線（折り癖がついている）がある関係で、使用時（扇面が平面状に展張している）に各折り線部分が折れ曲がり易くなるのを防止するためのものであって、次のような機能を有している。即ち、使用時（扇面展張状態）には、２枚の挟持板をそれぞれ扇面の表裏各面に接合する側に位置させた状態で両挟持板をロック手段で離間不能にロックしておくが、この状態では、各挟持板が折り線集中点の周囲を表裏各側から接合状態で被覆しており、且つ両挟持板がロック手段で離間不能にロックされているので、各折り線（６本）に折り癖がついていても該各折り線が両挟持板で被覆されている部分で折れ曲がるのを阻止でき、従って各折り線がそれぞれ全長に亘って折れ曲がれなくなる。
【００１８】
本願請求項１の折畳み式柄付きうちわでは、使用時には、上記のように扇面を平面状に展張させ、各挟持板を扇面の表裏各面に接合させた状態でその両挟持板をロック手段でロックしておくと、柄をもって扇面を揺らしても各折り線が不用意に折れ曲がることがないので、柄付きうちわとして通常の使用ができる。尚、その場合、柄を持って扇ぐことができるので使い勝手がよい。他方、不使用時（携帯時）には、両挟持板のロック手段を解除すれば、扇面及び柄を折り線集中点を中心に小さく折畳むことができる。この折畳み状態では、扇面が幅方向に折畳まれているとともに、柄が扇面側に折返されて重合しているので、柄付きうちわであっても左右及び上下にコンパクトになる。
【００１９】
［本願請求項２の発明］
本願請求項２の発明は、上記請求項１の折畳み式柄付きうちわにおいて、柄の長さを扇面の上下長さより短い長さとする一方、折り線集中点を扇面の上縁中央部と柄の先端部との間の長さの略１／２の位置に設定していることを特徴としている。この場合、折り線集中点から扇面の上縁中央部までの距離と、折り線集中点から柄の先端部までの距離とがほぼ同等となる。
【００２０】
このようにすると、この折畳み式柄付きうちわを折畳んだときに、柄と扇面とが重合した状態で且つ柄の先端部と扇面の上縁中央部とがほぼ一致するようになり、折畳み状態で上下長さが展張状態の１／２長さとなる。
【発明の効果】
【００２１】
［本願請求項１の発明の効果］
本願請求項１の折畳み式柄付きうちわでは、次のような効果がある。
【００２２】
まず、使用時には、扇面を平面状に展張させ、各挟持板を扇面の表裏各面に接合させた状態でその両挟持板をロック手段でロックしておくと、柄をもって扇面を揺らしても各折り線が不用意に折れ曲がることがないので、柄付きうちわとして通常の使用ができる。その場合、柄を持って扇面を揺らす（扇ぐ）ことができるので使い勝手がよい。
【００２３】
他方、不使用時（携帯時）には、両挟持板のロック手段を解除すれば、扇面及び柄を折り線集中点を中心に小さく折畳むことができる。即ち、この折畳み状態では、扇面が幅方向に折畳まれているとともに、柄が扇面側に折返されて重合しているので、柄付きうちわであっても左右及び上下にそれぞれコンパクトになり、携帯時に嵩張らない（例えば衣服のポケットに収容できる）。
【００２４】
［本願請求項２の発明の効果］
本願請求項２の発明では、上記請求項１の折畳み式柄付きうちわにおいて、柄の長さを扇面の上下長さより短い長さとする一方、折り線集中点を扇面の上縁中央部と柄の先端部との間の長さの略１／２の位置に設定しているので、折り線集中点から扇面の上縁中央部までの距離と、折り線集中点から柄の先端部までの距離とがほぼ同等となる。
【００２５】
従って、この請求項２の折畳み式柄付きうちわでは、折畳んだときに柄と扇面とが重合した状態で且つ柄の先端部と扇面の上縁中央部とがほぼ一致するようになるので、上記請求項１の効果に加えて、上下に２つ折りするものにおいて、上下長さを最小（展張状態の１／２長さ）にできるという効果がある（一層コンパクトに折畳める）。
【図面の簡単な説明】
【００２６】
【図１】本願実施例の折畳み式柄付きうちわの展張状態を示す平面図である。
【図２】図１の展張状態の折畳み式柄付きうちわのII−II断面図である。
【図３】図１の折畳み式柄付きうちわの折畳み工程の第１段階説明図である。
【図４】図１の折畳み式柄付きうちわの折畳み工程の第２段階説明図である。
【図５】図１の折畳み式柄付きうちわの最終折畳み状態を示す平面図である。
【図６】図５の折畳み状態のうちわを下面側から見た拡大図である。
【図７】図５の折畳み状態のうちわのVII−VII拡大断面図である。
【図８】公知の折畳み式うちわの材料展開状態の平面図である。
【図９】図８の折畳み式うちわの使用状態の平面図である。
【図１０】図９の折畳み式うちわの最終折畳み状態の斜視図である。
【発明を実施するための形態】
【実施例】
【００２７】
図１〜図７を参照して本願実施例の折畳み式柄付きうちわを説明する。
【００２８】
図１及び図２には、この実施例の折畳み式柄付きうちわの展張状態（使用可能状態）を示しているが、この折畳み式柄付きうちわは、１枚物の薄板材料製で略円形状の扇面１と、該扇面１の下縁中央部１ａに下向き突出状態で連続させた柄２と、後述するように扇面１の折り線集中点３の周囲の所定面積範囲を表裏各側から被覆し得る２枚の挟持板４，５と、両挟持板４，５を扇面接合状態で離間不能にロックするためのロック手段６とを有して構成されている。
【００２９】
扇面１の材料としては、厚紙や合成樹脂シートのような比較的「腰」のある１枚物の薄板材料が使用されている。尚、扇面１に柄２を一体成型する場合には、扇面１及び柄２に合成樹脂材料を使用するのが好ましいが、柄２を扇面１に別付けする場合には、扇面１の材料として厚紙を使用してもよい（その場合には、扇面の下縁中央部に合成樹脂製の柄２を別付けする）。
【００３０】
扇面１の大きさは、一般的に縦横の各直径が２０〜２５cm程度のものが多く、本願実施例でも扇面１の大きさとして一般的なものを使用している。又、柄２の長さは、一般的に１０〜１５cm程度のものが多い。因に、この実施例の折畳み式柄付きうちわの大きさは、特に限定するものではないが、扇面１部分の上下長さを約２１cm、扇面１部分の左右長さを約２４cm、柄２の長さを約１３cmとしている。従って、この実施例の折畳み式柄付きうちわでは、展張状態で、全体幅が約２４cm、全体長さが３４cm程度となって、外形がかなり大きくなっている。従って、この実施例の折畳み式柄付きうちわでは、展張状態（図１）のままで携帯するのに不向きである。
【００３１】
そこで、この実施例の折畳み式柄付きうちわでは、図１〜図３に示すように、扇面１の幅中央線Ｎ上における扇面１の下縁寄りの所定位置を折り線集中点３とし、扇面１の幅中央線Ｎを挟んで左右対称位置に該折り線集中点３から所定角度間隔をもって３本ずつ（合計６本）の折り線３１〜３６をそれぞれ扇面１の外周縁に達する長さ範囲に形成して、扇面１を各折り線３１〜３６で合計６つの分割面１１〜１６に区画している。そして、この実施例の折畳み式柄付きうちわは、後述するように各折り線３１〜３６で各分割面１１〜１６を相互に重合状態で折畳むことができるようにしている。
【００３２】
折り線集中点３の位置は、この実施例では扇面１の上縁中央部１ｂと柄２の先端部２ｂとの間の長さＬの略１／２の位置に設定している（請求項２の限定事項）。この場合、折り線集中点３から扇面１の上縁中央部１ｂまでの距離と、折り線集中点３から柄２の先端部２ｂまでの距離とが同等（長さＭずつで、Ｍ＝約１７cm）になる。
【００３３】
６本の折り線３１〜３６における隣接する２本の折り線間のそれぞれの角度間隔は、折り線集中点３を中心にして扇面１を幅方向及び上下方向に折畳み得るものであればよいが、この実施例ではそれぞれ次に示す角度間隔（図３の符号ａ〜ｆの各角度）に設定している。
【００３４】
即ち、図３に示すように、折り線集中点３より上側に位置する４本の折り線３１〜３４においては、隣接する２本の折り線（３１と３２、３１と３３、３２と３４）の各角度（ａ，ｂ，ｃ）がそれぞれ３６°であり、符号３３の折り線と符号３５の折り線との角度ｄ、及び符号３４の折り線と符号３６の折り線との角度ｅがそれぞれ７２°であり、残りの符号３５の折り線と符号３６の折り線との角度ｆが１０８°である。この場合、符号３３の折り線と符号３６の折り線、及び符号３４の折り線と符号３５の折り線とが、それぞれ一直線状になる。
【００３５】
尚、この実施例で設定した隣接する２本の折り線間の上記各角度（ａ〜ｆ）は、特に限定するものではなく、上記符号ａ〜ｃの各角度（３６°）を例えば３０°〜４０°程度の範囲で変更しても（この場合は符号ｄ〜ｆの各角度も変更される）、この柄付きうちわを折畳むのに支障はない。
【００３６】
６本の各折り線３１〜３６の折り方向（山折りか谷折りか）は、図１及び図３の状態を表面側とした場合に、符号３２と符号３３の２本の折り線が山折り線で、符号３１，３４，３５，３６の４本の折り線が谷折り線である。そして、この各折り線３１〜３６は、それぞれ所定の折り側に折り癖がつけられている。
【００３７】
尚、以下の説明では、図１及び図３において、折り線３１と折り線３２で区画された部分を上部中央分割面１１といい、折り線３５と折り線３６で区画された部分を下部中央分割面１２といい、折り線３１と折り線３３で区画された部分を左上部分割面１３といい、折り線３２と折り線３４で区画された部分を右上部分割面１４といい、折り線３３と折り線３５で区画された部分を左下部分割面１５といい、折り線３４と折り線３６で区画された部分を右下部分割面１６という。
【００３８】
又、この実施例の折畳み式柄付きうちわでは、扇面１における柄基端部２ａに連続する下部中央分割面１２の表裏各面にそれぞれ上下に折返し自在な２枚の挟持板４，５を有している。
【００３９】
この各挟持板４，５は、後述するようにかなりの面積を有した揺動板（４１，５１）と上下小幅の貼着片（４２，５２）との間に折り線（４３，５３）を設けたものが使用されている。各挟持板４，５は、例えば０.５〜１.０mm程度の薄板であるが、かなりの撓み強度を有する材料（例えば合成樹脂板）で製作されている。
【００４０】
そして、この各挟持板４，５は、それぞれの貼着片４２，５２を下部中央分割面１２の表裏各側に貼着することによって固定的に取付けており、各折り線４３，５３を中心にして各揺動板４１，５１を図１及び図２において実線図示する扇面接合位置と図３及び図２に鎖線図示（符号４１′，５１′）する柄接合位置との間で上下に折返しできるようにしている。
【００４１】
各挟持板４，５の揺動板４１，５１は、それぞれ扇面１に接合する側に折返した状態（図１の状態及び図２の実線図示状態）において、折り線集中点３を含めてその周囲の所定範囲を被覆し得る面積を有している。具体的には、該各揺動板４１，５１は、図１に示す扇面接合状態において、６本の各折り線３１〜３６に対して折り線集中点３から４cm〜６cm程度の長さ範囲を被覆し得る面積を有している。
【００４２】
各挟持板４，５（各揺動板４１，５１）は、展張状態の扇面の表裏各面に接合させた状態でロック手段６により該両挟持板（揺動板４１，５１）を離間不能にロックし得るようにしている。
【００４３】
このロック手段６は、この実施例では、図２に示すように裏面側の挟持板５（揺動板５１）の先端寄り位置において細長い長方形状のロック片６１を軸６２で回転自在に枢着したものが採用されている。このロック手段６は、裏面側の揺動板５１を扇面接合位置（図２の実線図示位置）に回動させたときに、ロック片６１が扇面１の表面側に向くように取付けている。又、ロック片６１と揺動板５１との間には、扇面１の厚さと表面側揺動板４１の厚さの合計よりごく僅かに広い隙間（例えば１.５〜２.０mm程度）を設けている。
【００４４】
他方、扇面１の上部中央分割面１１及び表面側の揺動板４１には、図１及び図２に示すように裏面側の揺動板５１を扇面接合側に位置させた状態でのロック片６１に対応する位置に、該ロック片６１の外形より僅かに大きい長方形の長穴１７，４４をそれぞれ縦長状態で形成している。
【００４５】
そして、このロック手段６は、ロック片６１を裏面側揺動板５１に対して縦向き姿勢（図１の符号６１′の状態）にした状態で、両揺動板４１，５１を扇面接合側に位置させると、ロック片６１が上部中央分割面１１の長穴１７及び表面側揺動板４１の長穴４４に対面し、ロック片６１を両長穴１７，４４に挿通させた後、該ロック片６１を角度９０°だけ回転させる（図１に示す横向き姿勢とする）ことにより、該ロック片６１を表面側揺動板４１の長穴４４の左右に係止できるようになっている。このロック片６１の係止状態では、両揺動板４１，５１で扇面１の折り線集中点３の周囲を表裏各面から挟んだ状態で、両揺動板４１，５１が離間不能（外側に回動不能）となっている。
【００４６】
尚、このロック手段６としては、ロック片６１に変えてホック式のものを使用してもよい。その場合は、一方の揺動板４１側に雌側ホック片を取付け、他方の揺動板５１側に雄側ホック片を取付けて、両ホック片を上部中央分割面１１に設けた穴１７（この場合は円形穴でよい）を通して嵌合・離脱させることにより、ロック手段６をロックしたりロック解除したりすることができる。
【００４７】
この実施例の折畳み式うちわでは、次のような機能がある。まず、図１及び図２に示す展張状態（使用可能状態）では、各挟持板（各揺動板４１，５１）が扇面１の折り線集中点３の周囲を表裏各面から挟んだ状態でロック手段６によりロックされるので、扇面１に形成している各折り線３１〜３６に折り癖があっても、該各折り線３１〜３６が折れ曲がることがなく、扇面１が全面に亘って平面状に展張された状態に維持される。そして、その状態で、柄２を持って扇面１を揺動させても、該扇面１が平面状に安定したままであり、折畳み式のものであっても通常のうちわと同様に使用することができる。又、この折畳み式柄付きうちわでは、使用時に柄２を持って扇ぐことができるので、使い勝手が良好になる。
【００４８】
又、この折畳み式柄付きうちわの不使用時（携帯時）には、図１の使用状態から、例えば図３及び図４の手順を経て図５のように小さく折畳むことができる。即ち、まず、図１の状態から、ロック手段６のロックを解除して、両挟持板（各揺動板４１，５１）を図３に示すように柄２側に折返し、次に折り線３４及び折り線３５部分を谷折りして図４の状態とし、続いて図４の符号３１の折り線を山折りするとともに、符号３２及び符号３３の各折り線をそれぞれ谷折りすると、符号３６の折り線も谷折りされて、図５に示す最終折畳み状態となる。
【００４９】
図５の折畳み状態では、扇面１の各分割面１１〜１６が折り線集中点３を起点として相互に重合しており、且つ柄２も上部中央分割面１１部分に重合している。従って、扇面１を上部中央分割面１１の長さ範囲（上縁中央部１ｂから折り線集中点３までの長さ）で且つ上部中央分割面１１又は挟持板４，５の最大幅の大きさに収めることができる。又、柄２は、上部中央分割面１１側に折返されていて、しかも柄先端部２ｂが扇面１の上縁中央部１ｂにほぼ合致しているので、折畳み状態での上下長さを可及的に小さくできる。即ち、図５に示す折畳み状態では、最大幅が１０cm程度で、図１に示す展張状態の上下全長Ｌ（３４cm）の略１／２の長さＭ（１７cm）に収めることができる。
【００５０】
尚、図５の折畳み状態では、扇面１の各分割面１１〜１６、両挟持板４，５、及び柄２が、図６の下面図及び図７の断面図に示すように折り重なっていて、厚さ方向に若干のボリュームができるが、この厚さ方向のボリュームは、携帯時にさほど問題にならない。又、図５〜図７に示す折畳み状態で、その外側に輪ゴムを掛けておくと、各部分が不用意に開かないので携帯に便利である。
【符号の説明】
【００５１】
１は扇面、１ａは扇面の下縁中央部、１ｂは扇面の上縁中央部、２は柄、２ｂは柄の先端部、３は折り線集中点、４，５は挟持板、６はロック手段、１１〜１６は扇面の分割面、３１〜３６は折り線、４１，５１は挟持板の揺動板、Ｎは扇面の幅中央線である。
【図１】
2010184052.tif 000003
【図２】
2010184052.tif 000004
【図３】
2010184052.tif 000005
【図４】
2010184052.tif 000006
【図５】
2010184052.tif 000007
【図６】
2010184052.tif 000008
【図７】
2010184052.tif 000009
【図８】
2010184052.tif 000010
【図９】
2010184052.tif 000011
【図１０】
2010184052.tif 000012